(57)【要約】【課題】温泉水中に溶け込んだ天然ガスを分離することが可能なガス分離装置の提供。【解決手段】天然ガスを含有する温泉水が導入される容器１０と、この容器１０内に設けられ、容器１０内に導入される温泉水を衝突させて乱流を発生させる複数の攪拌部材１１とを備えた乱流式気水分離器１を有することにより、温泉水中に溶け込んでいる天然ガスを気泡化させて、容易に分離することができる。【選択図】図３
2010279918.tif 000002
【特許請求の範囲】
【請求項１】
天然ガスを含有する温泉水が導入される容器と、
この容器内に設けられ、前記容器内に導入される温泉水を衝突させて乱流を発生させる複数の攪拌部材と
を備えた乱流式気水分離器を有するガス分離装置。
【請求項２】
前記容器は、
この容器内を、上部空間を除いて複数の槽に仕切る仕切板と、
前記温泉水を、前記容器の上部から前記仕切板により仕切られた槽に向かって導入する導水口と、
この導水口が設けられた槽とは別の槽の下部に設けられた排水口と
を備えたものである請求項１記載のガス分離装置。
【請求項３】
前記複数の攪拌部材は、前記容器内に千鳥配列されたものである請求項１または２に記載のガス分離装置。
【請求項４】
前記乱流式気水分離器から排出された温泉水を導入して旋回させる容器を備えた層流式気水分離器をさらに有する請求項１から３のいずれかに記載のガス分離装置。
【請求項５】
前記乱流式気水分離器の上流側に、前記温泉水を導入して旋回させる容器を備えた層流式気水分離器をさらに有する請求項１から４のいずれかに記載のガス分離装置。
【請求項６】
前記乱流式気水分離器の導水口へ至る導水管の途中に、前記温泉水を攪拌する攪拌装置を備えた請求項１から３のいずれかに記載のガス分離装置。
【請求項７】
前記層流式気水分離器の導水口へ至る導水管の途中に、前記温泉水を攪拌する攪拌装置を備えた請求項４または５に記載のガス分離装置。
【請求項８】
前記攪拌装置は、前記導水管内に所定の間隔で配置される複数の羽根板であり、前記導水管の中心軸の周囲に１８０°ずらした位置で逆方向に傾斜した複数の羽根板を備えたものである請求項６または７に記載のガス分離装置。
【請求項９】
前記乱流式気水分離器の導水口へ至る導水管の途中に、複数の孔が形成された多孔板を備えた請求項１から８のいずれかに記載のガス分離装置。
【請求項１０】
前記層流式気水分離器の導水口へ至る導水管の途中に、複数の孔が形成された多孔板を備えた請求項４、５または７に記載のガス分離装置。
【発明の詳細な説明】
【技術分野】
【０００１】
本発明は、温泉水から天然ガスを分離するガス分離装置に関する。
【背景技術】
【０００２】
温泉の採取等に伴い発生する可燃性天然ガスによる災害を防止するため、温泉施設には温泉水に含まれる天然ガスを所定濃度以下とすることが義務付けられている。このような温泉水に含まれる天然ガスを分離する技術として、例えば特許文献１，２には、温泉水から比重差を利用して天然ガスを分離するガス分離装置が記載されている。
【先行技術文献】
【特許文献】
【０００３】
【特許文献１】特開２００８−２８５５８３号公報
【特許文献２】特許第２７３５５４８号公報
【発明の概要】
【発明が解決しようとする課題】
【０００４】
前述のような比重差を利用して天然ガスを分離する装置の場合、温泉水中に気泡として含まれている天然ガスは、ある程度分離することができるものの、温泉水中に溶け込んでいる天然ガスを除去することができない。
【０００５】
そこで、本発明においては、温泉水中に溶け込んだ天然ガスを分離することが可能なガス分離装置を提供することを目的とする。
【課題を解決するための手段】
【０００６】
本発明のガス分離装置は、天然ガスを含有する温泉水が導入される容器と、この容器内に設けられ、容器内に導入される温泉水を衝突させて乱流を発生させる複数の攪拌部材とを備えた乱流式気水分離器を有するものである。
【０００７】
本発明のガス分離装置によれば、容器内に導入された温泉水が複数の攪拌部材に衝突することにより激しく攪拌され、乱流が発生する。これにより、温泉水中に溶け込んでいる天然ガスが気泡化するので、容易に分離することが可能となる。
【０００８】
ここで、容器は、この容器内を、上部空間を除いて複数の槽に仕切る仕切板と、温泉水を、容器の上部から仕切板により仕切られた槽に向かって導入する導水口と、この導水口が設けられた槽とは別の槽の下部に設けられた排水口とを備えたものであることが望ましい。
【０００９】
これにより、容器内に導入される温泉水は、容器の上部から仕切板により仕切られた槽に向かって導入され、前述のように複数の攪拌部材に衝突することにより激しく攪拌され、乱流が発生するが、この攪拌された温泉水はその槽の上部空間から別の槽に移り、さらにその槽内で複数の攪拌部材に衝突することにより再度激しく攪拌され、乱流となり、その後、排水口から排出される。つまり、容器内に導入される温泉水が複数の攪拌部材に衝突して攪拌される時間をより長くすることができ、攪拌による天然ガスの気泡化をより促進することができる。
【００１０】
また、複数の攪拌部材は、容器内に千鳥配列されたものであることが望ましい。これにより、容器内に導入される温泉水が複数の攪拌部材に衝突した際の攪拌効果が高まり、温泉水中に溶け込んでいる天然ガスの気泡化がさらに促進される。
【００１１】
さらに、本発明のガス分離装置は、乱流式気水分離器から排出された温泉水を導入して旋回させる容器を備えた層流式気水分離器を有するものであることが望ましい。前述のように溶け込んだ天然ガスが乱流によって気泡化された温泉水は、この層流式気水分離器の容器内で旋回させることにより層流となる。これにより、温泉水中の天然ガスの気泡が比重差によって上昇し、温泉水と分離される。また、温泉水の旋回によって遠心力が働き、比重が小さい天然ガスの気泡が流れの遅い中心部に集まるので、温泉水から天然ガスを容易に除去することが可能となる。
【００１２】
なお、温泉水中に含まれる天然ガス量が多い場合には、温泉水中に天然ガスが気泡の状態で多く含まれるため、上記層流式気水分離器を、乱流式気水分離器の上流側に有する構成とすることも可能である。この場合、天然ガスを含有する温泉水は、まず層流式気水分離器によって天然ガスの気泡を除去した後、温泉水中に溶け込んでいる天然ガスを乱流式気水分離器により気泡化して除去することができる。
【００１３】
また、本発明のガス分離装置は、乱流式気水分離器の導水口へ至る導水管の途中に、温泉水を攪拌する攪拌装置を備えたものであることが望ましい。前述の乱流式気水分離器の容器内に導入する温泉水を事前に攪拌装置により攪拌することで、容器内に導入された温泉水が攪拌部材に衝突した際の攪拌効果が高まり、より激しく攪拌されるようになる。また、層流式気水分離器の導水口へ至る導水管の途中に攪拌装置を備えた場合には、層流式気水分離器内に導入する温泉水を事前に攪拌装置により攪拌することで天然ガスの気泡化を促進し、層流式気水分離器により天然ガスをさらに容易に除去することが可能となる。
【００１４】
また、この攪拌装置は、導水管内に所定の間隔で配置される複数の羽根板であり、導水管の中心軸の周囲に１８０°ずらした位置で逆方向に傾斜した複数の羽根板とを備えたものであることが望ましい。これにより、温泉水は、導水管の中心軸の周囲に１８０°ずらした位置で逆方向に傾斜した複数の羽根板により流れ方向を乱されながら通過し、攪拌される。
【００１５】
また、本発明のガス分離装置は、乱流式気水分離器または層流式気水分離器の導水口へ至る導水管の途中に、複数の孔が形成された多孔板を備えたものであることが望ましい。これにより、乱流式気水分離器または層流式気水分離器の導水口へ至る導水管を通過する温泉水が、多孔板の複数の孔を通過する際にキャビテーションが発生し、温泉水中に溶け込んでいる天然ガスの気泡化がさらに促進される。
【発明の効果】
【００１６】
（１）天然ガスを含有する温泉水が導入される容器と、この容器内に設けられ、容器内に導入される温泉水を衝突させて乱流を発生させる複数の攪拌部材とを備えた乱流式気水分離器を有することにより、温泉水中に溶け込んでいる天然ガスを気泡化させて、容易に分離することが可能となる。
【００１７】
（２）容器が、この容器内を、上部空間を除いて複数の槽に仕切る仕切板と、温泉水を、容器の上部から仕切板により仕切られた槽に向かって導入する導水口と、この導水口が設けられた槽とは別の槽の下部に設けられた排水口とを備えたものであることにより、容器内に導入される温泉水が複数の攪拌部材に衝突して攪拌される時間をより長くすることができ、攪拌による天然ガスの気泡化をより促進することができる。
【００１８】
（３）複数の攪拌部材が、容器内に千鳥配列されたものであることにより、容器内に導入される温泉水が複数の攪拌部材に衝突した際の攪拌効果が高まり、温泉水中に溶け込んでいる天然ガスの気泡化がさらに促進される。
【００１９】
（４）乱流式気水分離器から排出された温泉水を導入して旋回させる容器を備えた層流式気水分離器をさらに有することにより、溶け込んだ天然ガスが乱流によって気泡化された温泉水は、この層流式気水分離器の容器内で旋回させることにより層流となる。これにより、天然ガスの気泡が比重差によって上昇し、温泉水と分離される。また、温泉水の旋回によって遠心力が働き、比重が小さい天然ガスの気泡が流れの遅い中心部に集まるので、温泉水から天然ガスを容易に除去することが可能となる。
【００２０】
（５）温泉水中に含まれる天然ガス量が多い場合には、層流式気水分離器を、乱流式気水分離器の上流側に有する構成とすることにより、温泉水中に気泡の状態で多く含まれる天然ガスを、まず層流式気水分離器によって除去した後、温泉水中に溶け込んでいる天然ガスを乱流式気水分離器により気泡化してより効率良く除去することが可能となる。
【００２１】
（６）乱流式気水分離器の導水口へ至る導水管の途中に、温泉水を攪拌する攪拌装置を備えたことにより、容器内に導入された温泉水が攪拌部材に衝突した際の攪拌効果が高まり、より激しく攪拌されるので、温泉水中に溶け込んでいる天然ガスの気泡化がさらに促進される。
【００２２】
（７）層流式気水分離器の導水口へ至る導水管の途中に攪拌装置を備えたことにより、層流式気水分離器内に導入する温泉水を事前に攪拌装置により攪拌することで、天然ガスの気泡化を促進し、層流式気水分離器により天然ガスをさらに容易に除去することが可能となる。
【００２３】
（８）導水管内に所定の間隔で配置される複数の羽根板であり、導水管の中心軸の周囲に１８０°ずらした位置で逆方向に傾斜した複数の羽根板とを備えたことにより、温泉水は、導水管の中心軸の周囲に１８０°ずらした位置で逆方向に傾斜した複数の羽根板により流れ方向を乱されながら通過し、攪拌されるので、温泉水中に溶け込んでいる天然ガスの気泡化がさらに促進される。
【００２４】
（９）乱流式気水分離器または層流式気水分離器の導水口へ至る導水管の途中に、複数の孔が形成された多孔板を備えたことにより、導水口へ至る導水管を通過する温泉水が、多孔板の複数の孔を通過する際にキャビテーションが発生し、温泉水中に溶け込んでいる天然ガスの気泡化がさらに促進される。
【図面の簡単な説明】
【００２５】
【図１】本発明の実施の形態におけるガス分離装置の概略構成図である。
【図２】図１の乱流式気水分離器の拡大図である。
【図３】図２の乱流式気水分離器の右側面図である。
【図４】図２のＡ−Ａ断面図である。
【図５】図１の層流式気水分離器の拡大図である。
【図６】図５の層流式気水分離器の右側面図である。
【図７】図５のＢ−Ｂ断面図である。
【図８】図１の攪拌部材の拡大図である。
【図９】図８のＣ−Ｃ断面図である。
【図１０】図８の攪拌部材を構成する羽根板を示す平面図である。
【図１１】導水管の途中に設けられる気泡化装置を示す側面図である。
【図１２】図１１のＤ−Ｄ断面図である。
【図１３】図１２の多孔板の正面図である。
【図１４】図１３のＥ−Ｅ断面図である。
【図１５】ガス水比計測結果を示す図である。
【図１６】ガス水比計測結果を示す図である。
【図１７】ガス水比計測結果を示す図である。
【発明を実施するための形態】
【００２６】
図１は本発明の実施の形態におけるガス分離装置の概略構成図、図２は図１の乱流式気水分離器の拡大図、図３は図２の乱流式気水分離器の右側面図、図４は図２のＡ−Ａ断面図、図５は図１の層流式気水分離器の拡大図、図６は図５の層流式気水分離器の右側面図、図７は図５のＢ−Ｂ断面図、図８は図１の攪拌部材の拡大図、図９は図８のＣ−Ｃ断面図、図１０は図８の攪拌部材を構成する羽根板を示す平面図である。
【００２７】
図１において、本発明の実施の形態におけるガス分離装置は、主に乱流式気水分離器１と層流式気水分離器２とから構成される。乱流式気水分離器１には、導水管３を通じて天然ガスを含有する温泉水が導入される。また、乱流式気水分離器１と層流式気水分離器２とは、導水管４により接続されている。また、導水管３の途中には、温泉水を攪拌する攪拌装置５が設けられている。
【００２８】
図２〜図４に示すように、乱流式気水分離器１は、温泉水が導入される円筒状の容器１０と、この容器１０内に設けられ、容器１０内に導入される温泉水を衝突させて乱流を発生させる複数の攪拌部材１１と、容器１０内を、上部空間１２ａを除いて２つの槽１２ｂ，１２ｃに仕切る仕切板１３と、上部空間１２ａ内のガスを排出するガス抜き弁１４とから構成される。
【００２９】
また、容器１０は、導水管３によって導入される温泉水を容器１０の上部から一方の槽１２ｂに向かって導入する導水口１５と、他方の槽１２ｃの下部に設けられた排水口１６とを有する。また、攪拌部材１１は山形綱からなり、槽１２ｂ，１２ｃの両方にそれぞれの攪拌部材１１の山形の頂点を上方に向けて、仕切板１３上に所定間隔で千鳥配列されている。
【００３０】
図５〜図７に示すように、層流式気水分離器２は、円筒状の容器２０と、この容器１０内に中央に立設された円柱状の整流体２１と、容器２０内の上部空間２２内のガスを排出するガス抜き弁２３とから構成される。また、容器２０は、導水管４によって導入される温泉水を容器２０の上部から導入する導水口２４と、容器２０の下部から排出する排水口２５とを有する。なお、導水口２４および排水口２５は、図７に示すように容器２０の中心からオフセットした位置に設けられている。
【００３１】
図８に示すように、攪拌装置５は、導水管３内に所定の間隔で配置される複数の羽根板５０ａ，５０ｂと軸部材５１とからなる。羽根板５０ａ，５０ｂは、図１０に示すように略半楕円状の板であり、図８および図９に示すように導水管３の中心に配置される軸部材５１の周囲に互いに１８０°ずらした位置で逆方向に傾斜するように配置されている。すなわち、図９の左半分に配置される羽根板５０ａの正面の面と右半分に配置される羽根板５０ｂの正面の面とは９０°傾きが異なっている。
【００３２】
上記構成のガス分離装置では、揚水ポンプ（図示せず。）などにより汲み上げられ、送水される温泉水が、導水管３を通じて乱流式気水分離器１へ導入される。このとき、温泉水は、まず導水管３の途中に設けられた攪拌装置５によって流れ方向を乱されながら通過し、攪拌されて、乱流式気水分離器１へ導入される。
【００３３】
乱流式気水分離器１では、容器１０上部の導水口１５から槽１２ｂに向かって導入され、複数の攪拌部材１１に衝突することにより激しく攪拌され、乱流が発生する。これにより、温泉水中に溶け込んでいる天然ガスが気泡化する。そして、槽１２ｂ内の温泉水は、仕切板１３の上端を越えて隣の槽１２ｃへ流入し、槽１２ｃの下部の排水口１６から排出されるが、このとき温泉水は槽１２ｃ内の複数の攪拌部材１１に衝突することにより再度激しく攪拌される。
【００３４】
こうして排水口１６から排出された温泉水は、導水管４を通じて層流式気水分離器２へ導入される。層流式気水分離器２では、容器２０上部の導水口２４から容器２０の内壁面に沿って温泉水が導入されるので、この導入された温泉水は、整流体２１の周りを回転しながら層流化され、容器２０下部の排水口２５から排出される。このとき、整流化された温泉水は、比重差によって温泉水中の天然ガスの気泡が比重差によって上昇し、温泉水と分離される。また、温泉水が旋回することによって遠心力が働き、比重が小さい天然ガスの気泡が流れの遅い容器２０の中心部の整流体２１の周りに集まる。
【００３５】
以上のように、本実施形態におけるガス分離装置では、温泉水中に溶け込んでいる天然ガスは乱流式気水分離器１によって気泡化され、この気泡化された天然ガスを含む温泉水が層流式気水分離器２によって気泡と温泉水とに分離される。層流式気水分離器２によって分離された天然ガスは、層流式気水分離器２の容器２０の上部空間２２に溜まり、ガス抜き弁２３から排出される。同様に、乱流式気水分離器１の上部空間１２ａに溜まった天然ガスはガス抜き弁１４から排出される。
【００３６】
このように、本実施形態におけるガス分離装置では、天然ガスを含有する温泉水が導入される容器１０と、この容器１０内に設けられ、容器１０内に導入される温泉水を衝突させて乱流を発生させる複数の攪拌部材１１とを備えた乱流式気水分離器１を有することにより、温泉水中に溶け込んでいる天然ガスを気泡化させて、容易に分離することが可能である。
【００３７】
特に、このガス分離装置では、容器１０が、この容器１０内を、上部空間１２ａを除いて複数の槽１２ｂ，１２ｃに仕切る仕切板１３と、温泉水を、容器１０の上部から仕切板１３により仕切られた槽１２ｂに向かって導入する導水口１５と、この導水口１５が設けられた槽１２ｂとは別の槽１２ｃの下部に設けられた排水口１６とを備えたものであることにより、容器１０内に導入される温泉水が複数の攪拌部材１１に衝突して攪拌される時間をより長くすることができ、攪拌による天然ガスの気泡化をより促進することが可能となっている。なお、本実施形態においては、１枚の仕切板１３により２つの槽１２ｂ，１２ｃに仕切っているが、２枚以上の仕切板により３つ以上に仕切る構成とすることも可能である。
【００３８】
また、このガス分離装置では、複数の攪拌部材１１が、容器１０内に千鳥配列されたものであることにより、容器１０内に導入される温泉水が複数の攪拌部材１１に衝突した際の攪拌効果が高まり、温泉水中に溶け込んでいる天然ガスの気泡化がさらに促進される。なお、攪拌部材１１の配置は千鳥配列以外の配列とすることも可能である。
【００３９】
また、このガス分離装置では、乱流式気水分離器１から排出された温泉水を導入して旋回させる容器２０を備えた層流式気水分離器２をさらに有するので、溶け込んだ天然ガスが乱流によって気泡化された温泉水が、この層流式気水分離器２の容器２０内で旋回させることにより層流となり、温泉水中の天然ガスの気泡が比重差によって上昇し、温泉水と分離される。また、温泉水の旋回によって遠心力が働き、比重が小さい天然ガスの気泡が流れの遅い中心部に集まるので、温泉水から天然ガスを容易に除去することが可能となっている。
【００４０】
なお、本実施形態においては、上流側に乱流式気水分離器１を、下流側に層流式気水分離器２を配置した構成であるが、これとは逆に、上流側に層流式気水分離器２を、下流側に乱流式気水分離器１を配置した構成とすることも可能である。温泉水中に溶け込んでいる天然ガス量が多い場合、層流式気水分離器２を、乱流式気水分離器１の上流側に有する構成とすることにより、温泉水中に気泡の状態で多く含まれる天然ガスを、まず層流式気水分離器２によって除去した後、温泉水中に溶け込んでいる天然ガスを乱流式気水分離器１により気泡化してより効率良く除去することが可能となる。
【００４１】
また、本実施形態におけるガス分離装置では、乱流式気水分離器１の導水口１５へ至る導水管３の途中に、温泉水を攪拌する攪拌装置５を備えたことにより、容器１０内に導入された温泉水が攪拌部材１１に衝突した際の攪拌効果が高まり、より激しく攪拌される。これにより、温泉水中に溶け込んでいる天然ガスの気泡化がさらに促進される。また、この攪拌装置５は層流式気水分離器２の導水口２４へ至る導水管４の途中に備えた構成とすることも可能である。この場合、層流式気水分離器２内に導入する温泉水を事前に攪拌装置５により攪拌することで、天然ガスの気泡化を促進し、層流式気水分離器２により天然ガスをさらに容易に除去することが可能となる。
【００４２】
また、この攪拌装置５が、導水管３の中心軸の周囲に１８０°ずらした位置で逆方向に傾斜した複数の羽根板５０ａ，５０ｂを備えたことにより、温泉水は、この複数の羽根板５０ａ，５０ｂにより流れ方向を乱されながら通過し、攪拌されるので、温泉水中に溶け込んでいる天然ガスの気泡化がさらに促進されており、温泉水中に溶け込んだ天然ガスの除去効果が高い。
【００４３】
また、攪拌装置５に代えて、図１１〜図１４に示す気泡化装置６を備えた構成とすることも可能である。図１１は導水管３の途中に設けられる気泡化装置６を示す側面図、図１２は図１１のＤ−Ｄ断面図、図１３は図１２の多孔板の正面図、図１４は図１３のＥ−Ｅ断面図である。
【００４４】
図１１に示す気泡化装置６は、導水管３の途中に設けられるものであって、略円筒状のケーシング６０内に、温泉水の流れ方向の上流側から順にスリット６１、メッシュ押さえリング６２およびメッシュ６３を備えている。
【００４５】
スリット６１には複数の多孔板保持孔６４が形成されている。この多孔板保持孔６４には、それぞれ図１３に示す多孔板６５が嵌め込まれている。多孔板６５は、円板状の板材であり、その中心周りに４０°間隔で複数の開孔６６が設けられている。開孔６６は、図１４に示すように、例えば直径３ｍｍの丸孔とし、両面に９０°の座繰りが設けられたものとすることが可能であるが、これらは変更可能である。
【００４６】
メッシュ６３は、例えば＃１０〜＃２４メッシュのＰＶＣ（ポリ塩化ビニル）製の網である。メッシュ押さえリング６２は、このメッシュ６３をケーシング６０内に保持するためのものである。
【００４７】
このような気泡化装置６によれば、導水口１５へ至る導水管を通過する温泉水が、スリット６１に設けられた多孔板６５の複数の開孔６６を通過することによってキャビテーションが発生し、温泉水中に溶け込んでいる天然ガスが気泡化する。これにより、次の乱流式気水分離器１内での気泡化がさらに促進され、天然ガスの分離効果が向上する。なお、この気泡化装置６は層流式気水分離器２の導水口へ至る導水管４の途中に設けることも可能である。
【００４８】
なお、本実施形態における気泡化装置６では、多孔板６５の開孔６６の両面に座繰りを設けることによって、より効果的なキャビテーションを発生させることが可能となっており、天然ガスの気泡化を効率良く行える。また、下流側にメッシュ６３を備えていることで、多孔板６５を通過した温泉水がせん断され、さらに気泡化が促進されている。
【実施例】
【００４９】
本実施形態におけるガス分離装置による天然ガスの除去効果を確認した。図１５〜図１７はガス水比の計測結果を示している。図１５〜図１７において、ガス水比は、温泉水に含まれる天然ガスと、この天然ガスを除いた温泉水との体積比を示している。
【００５０】
図１５に示す例では、ガス１に対して温泉水２０９．２であり、ガス分離装置の設置前では％ＬＥＬが１００％ＬＥＬ以上であったのに対し、ガス分離装置の設置後は１９％ＬＥＬ以上まで減少した。なお、％ＬＥＬは、可燃性ガスが燃焼爆発を起こす最低濃度（ＬＥＬ（Lower Explosive Limit）：爆発下限界）に対する割合を百分率で表したものである。例えば、メタンガスの爆発下限界は５％なので、メタンガスの濃度が２．５％のとき５０％ＬＥＬとなる。
【００５１】
また、図１６に示す例では、ガス１に対して温泉水１６．６であり、図１５の例よりも天然ガスの含有量が多いが、ガス分離装置の設置前では％ＬＥＬが１００％ＬＥＬ以上であったのに対し、ガス分離装置の設置後は１７％ＬＥＬ以上まで減少した。
【００５２】
また、図１７に示す例では、ガス１に対して温泉水０．８であり、極めて天然ガスの含有量が多い。そこで、ガス分離装置の乱流式気水分離器１を２つ直列に配置した。この場合、ガス分離装置の設置前では％ＬＥＬが１００％ＬＥＬ以上であったが、ガス分離装置の設置後は２１％ＬＥＬ以上まで減少した。
【産業上の利用可能性】
【００５３】
本発明のガス分離装置は、健康ランドや温泉センターなどの各種温泉施設において、温泉水から天然ガスを分離する装置として有用である。
【符号の説明】
【００５４】
１  乱流式気水分離器
２  層流式気水分離器
３，４  導水管
５  攪拌装置
６  気泡化装置
１０  容器
１１  攪拌部材
１３  仕切板
１４  ガス抜き弁
１５  導水口
１６  排水口
２０  容器
２１  整流体
２３  ガス抜き弁
２４  導水口
２５  排水口
５０ａ，５０ｂ  羽根板
５１  軸部材
６０  ケーシング
６１  スリット
６２  メッシュ押さえリング
６３  メッシュ
６４  多孔板保持孔
６５  多孔板
６６  開孔
【図１】
2010279918.tif 000003
【図２】
2010279918.tif 000004
【図３】
2010279918.tif 000005
【図４】
2010279918.tif 000006
【図５】
2010279918.tif 000007
【図６】
2010279918.tif 000008
【図７】
2010279918.tif 000009
【図８】
2010279918.tif 000010
【図９】
2010279918.tif 000011
【図１０】
2010279918.tif 000012
【図１１】
2010279918.tif 000013
【図１２】
2010279918.tif 000014
【図１３】
2010279918.tif 000015
【図１４】
2010279918.tif 000016
【図１５】
2010279918.tif 000017
【図１６】
2010279918.tif 000018
【図１７】
2010279918.tif 000019